(57)【要約】【課題】紐の長さを調節でき、使用しないときにはその紐をケーシング内へ格納できる紐付き筆記具を提供する。さらに、筆記の為に握るだけで芯の筆記用先端がキャップから突出して筆記可能となる、紐付き筆記具をも提供する。【解決手段】  ケーシング４０内には、中芯３がその後端で取付けられ、リール５、そのリールを一方向に付勢するゼンマイ１６、及びリールに係脱可能な係止板１８とで構成されるリール機構５。紐１７は、一端がリールに取付けられ、他端がケーシングの孔を通ってケーシングの外に取付けられる。ボタン２４を押すと、リールから係止部２５が離脱する。また、軸芯方向に移動可能で孔５３の明いたキャップ５１と、指の当たる位置に配置されたボタン５９、このボタン５９をケーシング外に付勢する捩りコイルバネ２６。キャップの斜孔５５a、ｂにボタンの軸６１a、ｂが嵌り、筆記具のボタン５９の部分を握るとキャップがケーシング内に後退する。【選択図】図１
2006192625.tif 000002
【特許請求の範囲】
【請求項１】
首掛け用などの紐を備えた筆記具において、前記紐の繰出し及び巻取りを行うリール機構を備えていることを特徴とする、紐付き筆記具。
【請求項２】
請求項１記載の紐付き筆記具において、前記リール機構は前記筆記具のケーシング内に設けられ、前記紐は前記ケーシングに形成された孔を通って前記ケーシングの内外へ伸び、その一端において前記リール機構に取り付けられ、他端において前記ケーシングに取り付けられることを特徴とする、紐付き筆記具。
【請求項３】
請求項２記載の紐付き筆記具において、前記紐の前記他端と前記ケーシングは、互いに嵌合するオス、メスの嵌合部材を備え、前記紐は前記ケーシングに前記嵌合部材により着脱可能に取付けられていることを特徴とする、紐付き筆記具。
【請求項４】
請求項１乃至３のいずれか１に記載の紐付き筆記具において、前記リール機構は、前記ケーシング内に回転可能に支承されたリールと、該リールを一方向へ常時付勢する第１の付勢部材と、前記リールに係脱可能に設けられた係止部材と、前記係止部材を前記リールに係止する方向へ常時付勢する第２の付勢部材とを備え、前記係止部材は、前記ケーシングに前記ケーシングの外部に臨んで取付けられた巻取り用押しボタンを押すことにより前記リールから脱離させられることを特徴とする、紐付き筆記具。
【請求項５】
請求項１乃至４のいずれか１記載の紐付き筆記具において、筆記用先端部材を備えた芯が前記ケーシングに固定して取り付けられ、前記紐付き筆記具はさらに、少なくとも前記先端部材が挿通可能な穴を先端に備え、前記芯の軸芯方向に移動可能に前記ケーシングに取付けられたキャップと、筆記時に前記紐付き筆記具を握る指が当たる位置において前記ケーシングに取付けられ、前記芯の軸芯方向に略直交する方向に移動可能に設けられたキャップ用押しボタンと、前記キャップ用押しボタンを前記ケーシングの外方へ向けて付勢する第３の付勢部材を備え、前記キャップと前記キャップ用押しボタンには、前記キャップ用押しボタンを前記ケーシング内へ押し込むと前記キャップを前記ケーシング内へ後退させる運動伝達部材が設けられていることを特徴とする、紐付き筆記具。
【請求項６】
請求項５記載の紐付き筆記具において、前記運動伝達機構は、前記キャップと前記キャップ用押しボタンのいずれか一方に設けられた、前記芯の軸芯方向に対して傾斜した傾斜溝と、前記キャップと前記キャップ用押しボタンの他方に設けられた、前記傾斜溝に摺動可能に嵌った軸部材とで構成されていることを特徴とする、紐付き筆記具。
【請求項７】
請求項５または６に記載の紐付き筆記具において、前記第２の付勢部材と前記第３の付勢部材とが単一の部材により構成されていることを特徴とする、紐付き筆記具。
【発明の詳細な説明】
【技術分野】
【０００１】
本発明は、紐が付いた筆記具、特に、紐と、紐を繰り出し及び巻き取るための機構を備えた筆記具に関する。
【背景技術】
【０００２】
野外活動等で使用されるペン等の筆記具は、カバン等の中から探して取り出したり、しまったりする手間が省けるように、ループ状の紐が付いて、その紐を首等に掛けて、使用したい時にすぐ使用できるようなものが便利である。このような紐付き筆記具の従来例の１つが特開平７−３２３６９７に開示されている。この従来例では、キャップにクリップが設けられていて、クリップの部分にループ状の紐が取付けてある。
【０００３】
更に、野外活動で使用される筆記具は使用する度にキャップを取り外したりするタイプのものは不便であり、ペン先を保護するキャップがスライド式になっているものが、キャップを紛失してしまう心配がなく便利である。その従来例の１つが実開昭５９−５３９８５に開示されている。この筆記具には、ペン先を保護するキャップが軸筒に軸方向移動可能に取付けてあり、そのキャップを軸筒側に引き寄せることによってペン先を露出させることができる。
【０００４】
【特許文献１】特開平７−３２３６９７
【特許文献２】実開昭５９−５３９８５
【発明の開示】
【発明が解決しようとする課題】
【０００５】
しかし、これらの従来例には、いくつかの欠点がある。まず、前者の従来例では、紐の長さが決まっていて調節できない。収納の際、紐がかさばってしまう。紐をはずすことができるが、紛失してしまう可能性がある。後者の従来例では、一方の手で軸筒を持ち、もう片方の手でキャップを引き寄せ、クリップの係止部を係止爪に係止する必要があり、両手を使ってペン先を露出しなければならず、更に、その後に、筆記のためにペンを持ちかえなければならない。また、使用後、キャップを元に戻すために、係止体を押すことによりクリップの係止部を係止爪からはずさなければならない。
【０００６】
本発明は上記課題に鑑みてなされたものであり、紐の長さを必要に応じて自由に調節でき、使用しないときにはその紐をケーシング内へ格納することのできる紐付き筆記具を提供することを目的とする。
【０００７】
さらに本発明は、上記の機能に加えて、筆記の為に握るだけでキャップが後退して芯の筆記用先端がキャップから突出し、離すことによりキャップが戻って芯先端を覆って保護することのできる紐付き筆記具を提供することをもその目的とする。
【課題を解決するための手段】
【０００８】
上記課題を解決するために本願発明に係る紐付き筆記具においては、紐の繰出し及び巻取りを行うリール機構を設けた。
【０００９】
ある実施の形態では、そのリール機構は筆記具のケーシング内に設けられ、紐はケーシングに形成された孔を通ってケーシングの内外へ伸び、その一端においてリール機構に、他端においてケースに取り付けられる。
【００１０】
他の実施の形態では、紐の前記他端とケースは、互いに嵌合するオス、メスの嵌合部材を備え、紐はケースにこの嵌合部材により着脱可能に取付けられている。
【００１１】
そのリール機構は、ケーシング内に回転可能に支承されたリールと、該リールを一方向へ常時付勢する第１の付勢部材と、リールに係脱可能に設けられた係止部材と、係止部材をリールに係止する方向へ常時付勢する第２の付勢部材とで構成することができ、その係止部材は、ケーシングの外部に臨んだ
状態でケーシングに取付けられた巻取り用押しボタンを押すことによりリールから脱離させる構成とすることができる。
【００１２】
上記課題を解決するために本発明は上記構成に加えて以下の構成を備えている。すなわち、その紐付き筆記具は筆記用先端部材を備えた芯がケーシングに固定して取り付けられ、この筆記具はさらに、少なくとも先端部材が挿通可能な穴を先端に備え、芯の軸芯方向に移動可能にケーシングに取付けられたキャップと、筆記時に紐付き筆記具を握る指が当たる位置においてケーシングに取付けられ、芯の軸芯方向に略直交する方向に移動可能に設けられたキャップ用押しボタンと、このキャップ用押しボタンをケーシングの外方へ向けて付勢する第３の付勢部材を備えている。そしてキャップとキャップ用押しボタンには、キャップ用押しボタンをケーシング内へ押し込むとキャップをケーシング内へ後退させる運動伝達部材が設けられている。
【００１３】
この運動伝達機構は、キャップとキャップ用押しボタンのいずれか一方に設けられた、芯の軸芯方向に対して傾斜した傾斜溝と、キャップとキャップ用押しボタンの他方に設けられた、傾斜溝に摺動可能に嵌った軸部材とで構成することができる。
【００１４】
また、前述の第２と第３の付勢部材は単一の部材で構成することができる。
【発明の効果】
【００１５】
上記のような構成を備えて本発明に係る紐付き筆記具においては、紐の長さを自由に調節でき、使用しない場合には紐をケース内へ格納できるので、筆記具を仕舞うのに紐が邪魔にならず、また紐を紛失する心配もなく、特に野外活動などの際に使用するのに極めて便利である。また、それに加えて上記のキャップを移動させる機構をも備えた場合には、筆記具を握るだけで筆記用先端が突出するので、握るだけで直ぐに筆記することができ、緊急な場合に容易に対応できる。また、離せばキャップにより筆記先端部がカバーされるので、そのままぶら下げていても筆記先端部は保護され、衣服を汚す心配もない。これらは、特に野外活動などにおいて使用するのに極めて便利である。
【発明を実施するための最良の形態】
【００１６】
図１は、本発明に基づく筆記具１の内部構造を示すための斜視図であり、ケーシング４０を構成する上側ケーシング４１と下側ケーシング４２のうち上側ケーシング４１を取り外してある。ケーシング４０内には、その長手方向に、先端にペン先５２を備えた中芯３が伸びて配置され、その後端においてケーシング４０に固定されている。
【００１７】
筆記具１にはリール機構４が内蔵されており、このリール機構４にはリール５が用いられている。図４、図５、及び図６は本実施形態で使用されるリール５の斜視図、平面図、そして、図５におけるＡ−Ａ線断面図である。まず、これらの図を参照して、リール５の構造を説明する。
【００１８】
このリール５は第１円筒部６とその内側に同心で設けられた第２円筒部９を備えている。この第１円筒部６と第２円筒部９の下端は同一面上に位置し、第２円筒部９の丈は第１円筒部６のそれよりも短くなっている。そして、第１円筒部６と第２円筒部９は、第２円筒部９の上端の外周から第１円筒部６の内周に向かって広がる円盤８によって繋がっている。中空部１１が円盤８と第１円筒部６の円盤８より上側の部分によって画成されている。第１円筒部６の上下両端それぞれから外方に向かって略円形の第１フランジ１３及び第２フランジ１４が広がっている。そして、第１フランジ１３には、その外周側に円周方向において９０°間隔で４つの切欠き部３０が形成されている。この切欠き部３０は第１フランジ１３の外周から径方向内方に向かってある一定の長さで伸びる第１の辺３１と、その内側端部から円周方向で時計回りに緩やかな円弧を描きフランジ外周に伸びる第２の辺３２とで構成されている。また、第１円筒部６の円盤８より上側の部分は１箇所において円周方向に所定の長さにわたって切り取られ、第１フランジ１３も同じ長さで内周から径方向所定の幅で切り取られて切欠き部３５が形成されている。そして、その切欠き部３５に臨んで、円盤８から上方へ伸びる略方形の掛止片３６が立設されている。この部分に、後で詳細に説明するゼンマイ１６の一端が取付けられる。
【００１９】
次に図１〜３を参照して説明する。リール５は、第２円筒部９が下側ケーシング４２に設けられた軸１５に嵌め込って下側ケーシング４２に取付けられている。そして、リール５の中空部１１にはゼンマイ１６が収受されている。ゼンマイ１６は、その内側端部が下側ケーシング４２の軸１５に取付けられ、そこから反時計回りに巻き付けられて、外側端部は掛止片３６に取付け、リールに対して時計周りに回転させる力を付与している。
【００２０】
リール５及びゼンマイ１６の上部には、図において横方向に細長い薄板からなる係止板１８が配置され、係止板１８は、その中心に設けられた横方向に長い長孔１９が軸１５に嵌っている。したがって、係止板１８は軸１５に対して左右方向に所定量移動可能である。係止板１８の第１側辺３７は、中芯３の側面に近くに位置し、第２側辺３８の図中上側近くには上側ケーシング４１（図示せず）に設けられた第１及び第２案内軸４３、４４（図２参照）が位置し、係止板１８が水平方向に案内されるような構造になっている。さらに、係止板１８の右側端部にはボタン２４が取付けられ、その一部が指で押せるようにケーシング４０の外側に出ている。係止板１８の左側端部は、この係止板１８から垂直にリール方向に向けて折り曲げられた係止部２５となっている。係止部２５付近には、孔７０が設けられている。そして、この孔７０には、下側ケーシング４２の軸３３に巻き付けられている捩りコイルバネ２６の一端が取付けられ、係止板１８を図中右方へ付勢している。図において、係止板１８は、第１フランジ１３の切欠き部３０に当接し、リール５が時計回りに回転することを防ぐ。
【００２１】
紐１７の一端が第１円筒部６に取付けられ、紐１７は第１円筒部６の外周上を反時計回りに巻き付けられ、紐１７の他端は下側ケーシング４２に設けられた孔２１から外に伸びている。紐１７の他端にはコネクター２２が取付けられており、図３に示すように、このコネクター２２は、紐をループ状にするために、ケーシングの外側に形成されたコネクター接続部２３に接続することができる。
【００２２】
次に紐１７の繰り出し及び巻き戻しの仕組みについて説明する。まず、紐１７のコネクター２２を持って引っ張ると、リール５が反時計回りに回転し、紐が孔２１を介して繰り出される。この際、係止板１８はリール５の回転に伴って横方向に移動し、リール５の回転の妨げとはならない。紐１７を所望の長さに繰り出して止めるとリール５の第１の辺３１に係止板１８の係止部２５が係止し、ゼンマイ１６による逆回転を防ぐ。この状態で、コネクター２２をコネクター接続部２３に接続し、図３に示すように、紐１７をループ状に形成することができる。なお、コネクター接続部２３の形状は、図１により更に良く理解することができる。
【００２３】
紐を巻き戻す際には、まず、コネクター２２をコネクター接続部２３から外し、係止板１８に取付けられたボタン２４を押す。これによって、係止板１８の係止部２８がリール５の切欠き部３０から外れるので、リール５はゼンマイ１６により時計回りに回転し、紐１７が完全に巻き戻された時点でボタン２４から手を離すと、捩りコイルバネ２６の付勢力によりボタン２４が元の位置に押し戻される。あるいは、繰り出された紐１７の長さを短くするために、巻き戻しの途中でボタン２４から手を離し、紐１７の長さを適宜調整することもできる。
【００２４】
次に、ペン先保護機構５０について図１、２、及び３を参照して説明する。このペン先保護機構５０には円筒形で先端が丸いキャップ５１が用いられる。このキャップ５１の先端中央には、図３に示すペン先５２が出入りできる孔５３が設けられている。また、このキャップ５１は図１に示すとおり先端側円筒形の中空部５１aと、この中空部５１aから下側及び上側ケーシング４１、４２の側壁４１a、４２aに平行に互いに向き合って中芯３の後方端側へ伸びるアーム５４a、ｂが形成されている。この１対のアーム５４a、ｂには、互いに向き合う位置に、図面上、右上から左下に細長く伸びる斜孔５５a、ｂが設けられている。
【００２５】
このキャップ５１は、ケーシング４０の先端に設けられキャップ５１の形状に適合するような円形の孔５６に嵌め込まれ軸方向に移動可能である。側壁４１a、４２aには、アーム５４a、ｂの図中上下側縁を案内する１対の案内板６５a、ｂ及び６６a、ｂが設けられ、この案内板６５a、b及び６６a、ｂによって、アーム５４a、ｂが水平方向に案内される。
【００２６】
図面上、案内板６５ｂ、６６ｂの上方で、筆記する際に通常握る部分に矩形のボタン孔５８がケーシング４０に設けられている。このボタン孔５８には、図中、上方の頂壁部５９a及びその頂壁部５９a両側から下方に側壁４１a及び４２aに対して平行で互いに向き合って伸びる側壁部５９ｂ、ｃとからなるボタン５９が嵌め込まれている。また、このボタン５９には、図面上、側面下部に略直角三角形の１対のボタン延長部６０a、ｂが形成され、ボタン延長部６０a、ｂの外側面下方端部にはそれぞれアーム５４a、ｂの斜孔５５a、ｂに嵌る短い円形の軸６１a、ｂが形成されている。このボタン５９にはその頂壁部５９a内側において前述のリール機構４に関連して説明した捩りコイルバネ２６の前述の係止板１８に取付けられた側とは反対側の端部が当接し、この捩りコイルバネ２６がボタン５９を上方に付勢している。
【００２７】
次にキャップを動かす方法について説明する。まず、図２に示したペン先がキャップ内に入った状態から筆記のために筆記具を握るとボタン５９が押されて下方へ移動し軸６１a、ｂと斜孔５５a、ｂとの作用によってキャップ５１がケーシング４０内に引き寄せられ、ペン先５２が孔５３から突出する。
【００２８】
筆記後、ボタン５９から指を離すと、捩りコイルバネ２６の付勢力によりボタン５９が元の位置に戻り、それと同時にキャップ５１が元の位置に押し出され、ペン先５２がキャップ５１内に隠れる。
【図面の簡単な説明】
【００２９】
【図１】本発明に基づく筆記具の内部構造を示す斜視図である。
【図２】本発明に基づく筆記具の内部構造を示す平面図である。
【図３】本発明に基づく筆記具の内部構造と紐のコネクターがコネクター接続部に接続された状態を示す平面図である。
【図４】リールの斜視図である。
【図５】リールの平面図である。
【図６】リールの断面図である。
【符号の説明】
【００３０】
１：筆記具    ３：中芯    ４：リール機構    ５：リール    １６：ゼンマイ
１７：紐    １８：係止板    ２２：コネクター    ２３：コネクター接続部
２４：ボタン    ２５：係止部    ２６：捩りコイルバネ    ３０：切欠き部
４０：ケーシング    ４１：上側ケーシング    ４１a：側壁    
４２：下側ケーシング    ４２a：側壁    ５０：ペン先保護機構
５１：キャップ    ５２：ペン先    ５３：孔    ５４a、ｂ：アーム
５５a、ｂ：斜孔    ５６：孔    ５８：ボタン孔    ５９：ボタン
【図１】
2006192625.tif 000003
【図２】
2006192625.tif 000004
【図３】
2006192625.tif 000005
【図４】
2006192625.tif 000006
【図５】
2006192625.tif 000007
【図６】
2006192625.tif 000008